(57)【要約】【課題】画像処理効率に優れた画像処理方法を提供すること。【解決手段】複数の画像データ入力部を備えた画像データ入出力装置と端末装置とがネットワーク接続されたシステムにおける画像処理方法であって、前記端末装置において前記ネットワークを介して前記画像データ入出力装置に記憶された画像データ及び処理パラメータを取得し（ＳＴ１０２）、前記処理パラメータに基づき前記画像データを所望の画像フォーマットに変換する（ＳＴ１０３）。【選択図】    図７
2005025615.tif 000002
【特許請求の範囲】
【請求項１】
複数の画像データ入力部を備えた画像データ入出力装置と端末装置とがネットワーク接続されたシステムにおける画像処理方法であって、
前記画像データ入出力装置において、前記複数の画像データ入力部に含まれる所定の画像データ入力部から所定の画像フォーマットの画像データを取得し、
前記画像データ入出力装置において、前記所定の画像データ入力部から取得された画像データ、及び前記所定の画像データ入力部の処理パラメータを記憶し、
前記端末装置において前記ネットワークを介して前記画像データ入出力装置に記憶された前記画像データ及び前記処理パラメータを取得し、
前記端末装置において前記処理パラメータに基づき前記画像データを所望の画像フォーマットに変換する、
ことを特徴とする画像処理方法。
【請求項２】
前記画像データ入出力装置において、前記画像データ及び前記処理パラメータに加えて、前記画像データに対応する縮小画像データを生成し記憶することを特徴とする請求項１に記載の画像処理方法。
【請求項３】
前記処理パラメータは、前記複数の画像データ入力部で共通なパラメータ、及び前記複数の画像データ入力部毎に異なるパラメータを含むことを特徴とする請求項１に記載の画像処理方法。
【請求項４】
前記画像データ入出力装置において、前記画像データを取得した前記所定の画像データ入力部に関する情報を表示することを特徴とする請求項１に記載の画像処理方法。
【請求項５】
前記画像データ入出力装置において、前記所定の画像データ入力部により取得された前記所定の画像フォーマットの前記画像データと、前記所定の画像データ入力部と異なる画像データ入力部により取得された前記所定の画像フォーマットと異なる画像フォーマットの画像データとを編集可能とすることを特徴とする請求項１に記載の画像処理方法。
【請求項６】
前記画像データ入出力装置及び前記端末装置の両者の画像処理時間を算出し、
前記端末装置における画像処理時間が前記画像データ入出力装置における画像処理時間より短い場合には、前記端末装置において前記処理パラメータに基づき前記画像データを所望の画像フォーマットに変換し、
前記画像データ入出力装置における画像処理時間が前記端末装置における画像処理時間より短い場合には、前記画像データ入出力装置において前記処理パラメータに基づき前記画像データを所望の画像フォーマットに変換する、
ことを特徴とする請求項１に記載の画像処理方法。
【請求項７】
複数の画像データ入力手段と、
前記複数の画像データ入力手段に含まれる所定の画像データ入力手段から取得される所定の画像フォーマットの画像データ、及び前記所定の画像データ入力手段の処理パラメータを記憶する記憶手段と、
ネットワークを介して外部端末からの前記画像データの要求に対応して、前記記憶手段に記憶された前記画像データ及び前記処理パラメータを送信する送信手段と、
を備えたことを特徴とする画像データ入出力装置。
【請求項８】
複数の画像データ入力部を備えた画像データ入出力装置と端末装置とがネットワーク接続され、両装置のコンピュータを動作させるためのプログラムであって、
前記画像データ入出力装置において、前記複数の画像データ入力部に含まれる所定の画像データ入力部から取得された所定の画像フォーマットの画像データ、及び前記所定の画像データ入力部の処理パラメータを記憶する手順と、
前記端末装置において前記ネットワークを介して前記画像データ入出力装置に記憶された前記画像データ及び前記処理パラメータを取得する手順と、
前記端末装置において前記処理パラメータに基づき前記画像データを所望の画像フォーマットに変換する手順と、
を実行させるためのプログラム。
【請求項９】
前記画像データ入出力装置及び前記端末装置の両者での画像処理時間を算出する手順と、
前記端末装置における画像処理時間が前記画像データ入出力装置における画像処理時間より短い場合には、前記端末装置において前記処理パラメータに基づき前記画像データを所望の画像フォーマットに変換し、前記画像データ入出力装置における画像処理時間が前記端末装置における画像処理時間より短い場合には、前記画像データ入出力装置において前記処理パラメータに基づき前記画像データを所望の画像フォーマットに変換する手順と、
を実行させる請求項８に記載のプログラム。
【発明の詳細な説明】
【０００１】
【発明の属する技術分野】
この発明は、複数の画像データ入力部を備えた画像データ入出力装置と端末装置とがネットワーク接続されたシステムにおける画像処理方法に関する。
【０００２】
【従来の技術】
近年、画像データをデータベース化して管理する様々な画像ストレージシステムが提案されている（例えば、特許文献１参照）。画像ストレージシステムの一つである、ＭＦＰ（Ｍｕｌｔｉ−Ｆｕｎｃｔｉｏｎａｌ  Ｐｅｒｉｐｈｅｒａｌｓ）本体内には、各単体処理を高速化するために、各入力元（Ｃｏｐｙ入力、Ｓｃａｎ入力、Ｐｒｉｎｔ入力、ＦＡＸ入力、Ｅｍａｉｌ入力）毎に最適化された画像フォーマットの画像データが蓄積される。つまり、画像データの入力元により画像データの画像フォーマットが異なる。このため、ＭＦＰに蓄積されている画像ファイルのハンドリングが複雑であるというマイナス面を持つ。また、ＭＦＰは、各入力画像を一時格納し、再利用（印刷、ファイル取り出し、メール送信、ＦＡＸ送信）するストレージ機能を有する。ストレージ機能の一つとして、ＭＦＰ内部の一時ストレージから、ネットワークを介してクライアント側で画像を取り出す機能が存在する。
【０００３】
ＭＦＰ本体内部でハンドリングする画像フォーマットは、クライアント側でハンドリングされる汎用の画像フォーマットとは異なる。このため、ＭＦＰ本体側にて、クライアント側でハンドリングできる汎用の画像形式への画像変換処理を行う必要がある。
【０００４】
【特許文献１】
特開２００１−８４２６６
【０００５】
【発明が解決しようとする課題】
上記したように、ＭＦＰ側に蓄積された所定の画像フォーマットの画像データは、ＭＦＰ側の画像変換処理により、クライアント側でハンドリングされる汎用の画像フォーマットの画像データに変換される。このため、ＭＦＰ側の画像処理負荷が増大して、ＭＦＰ上で動作するジョブのパフォーマンスを低下させるという問題が生じていた。
【０００６】
また、入力元により画像フォーマットが異なっているために、数種類の画像変換の組み合わせが発生し、画像変換処理の組み合わせが複雑化している。
【０００７】
また、これらのページをマルチページとして１つのファイルとしてまとめて扱う際には、画像フォーマットの違いを吸収する必要があった。
【０００８】
この発明の目的は、上記したような問題を解決するために成されたものであって、画像処理効率に優れた画像処理方法及び画像データ入出力装置を提供することにある。
【０００９】
【課題を解決するための手段】
上記課題を解決し目的を達成するために、この発明の画像処理方法及び画像データ入出力装置は、以下のように構成されている。
【００１０】
（１）この発明は、複数の画像データ入力部を備えた画像データ入出力装置と端末装置とがネットワーク接続されたシステムにおける画像処理方法であって、前記画像データ入出力装置において、前記複数の画像データ入力部に含まれる所定の画像データ入力部から所定の画像フォーマットの画像データを取得し、前記画像データ入出力装置において、前記所定の画像データ入力部から取得された画像データ、及び前記所定の画像データ入力部の処理パラメータを記憶し、前記端末装置において前記ネットワークを介して前記画像データ入出力装置に記憶された前記画像データ及び前記処理パラメータを取得し、前記端末装置において前記処理パラメータに基づき前記画像データを所望の画像フォーマットに変換する。
【００１１】
（２）この発明の画像データ入出力装置は、複数の画像データ入力手段と、前記複数の画像データ入力手段に含まれる所定の画像データ入力手段から取得される所定の画像フォーマットの画像データ、及び前記所定の画像データ入力手段の処理パラメータを記憶する記憶手段と、ネットワークを介して外部端末からの前記画像データの要求に対応して、前記記憶手段に記憶された前記画像データ及び前記処理パラメータを送信する送信手段とを備えている。
【００１２】
【発明の実施の形態】
以下、この発明の実施の形態について図面を参照して説明する。
【００１３】
図１は、この発明の画像処理方法を適用可能なデータストレージシステムの概略構成を示す図である。図１に示すように、データストレージシステムは、ネットワーク接続されたデータ入出力装置（ＭＦＰ）１及び端末装置（クライアント）２を備えている。
【００１４】
図２は、主にデータ入出力装置１及び端末装置２の制御系を示すブロック図であり、図３は、主にデータ入出力装置１の機能を示すブロック図である。図３に示すように、データ入出力装置１は、入力部１０１、出力部１０８、及びストレージ１０７、１１７を備えている。入力部１０１は、コピー入力部１０２、プリンタ入力部１０３、スキャナ入力部１０４、ＦＡＸ受信部１０５、Ｅｍａｉｌ受信部１０６などを備えている。一方、出力部１０８は、プリンタ出力部１０８９、ネットワーククライアント出力部１１０、ＦＡＸ送信部１１１、Ｅｍａｉｌ送信部１１２などを備えている。
【００１５】
また、図２に示すように、データ入出力装置１は、入力部１０１の各種入力を制御する入力制御部１０１ａを備えている。この入力制御部１０１ａは、コピー入力時のコピー入力部１０２を制御するコピー入力制御部１０２ａ、ネットワーク経由のプリント入力時のプリンタ入力部１０３を制御するネットワークプリンタ入力制御部１０３ａ、スキャナ入力時のスキャナ入力部１０４を制御するスキャナ入力制御部１０４ａ、ＦＡＸ受信時のＦＡＸ受信部１０５を制御するＦＡＸ受信制御部１０５ａ、Ｅｍａｉｌ受信時のＥｍａｉｌ受信部１０６を制御するＥｍａｉｌ受信制御部１０６ａを備えている。
【００１６】
さらに、データ入出力装置１は、ＭＦＰ内部ストレージ１０７、及び出力部１０８の各種出力を制御する出力制御部１０８ａを備えている。出力制御部１０８ａは、印刷出力時のプリンタ出力部１０９を制御するプリンタ出力制御部１０９ａ、端末装置２（クライアント）からの呼び出しに対して所定のデータを出力するネットワーククライアント出力部１１０を制御するネットワーククライアント出力制御部１１０ａ、ＦＡＸ送信時のＦＡＸ送信部１１１を制御するＦＡＸ出力制御部１１１ａ、Ｅｍａｉｌを出力するＥｍａｉｌ出力部１１２を制御するＥｍａｉｌ出力制御部１１２ａを備えている。
【００１７】
さらに、データ入出力装置１は、ＭＦＰ内部ストレージ１０７に対して、実画像データを保存するなどの制御を行う実画像データ制御部１１３、ＭＦＰ内部ストレージ１０７に対して、処理パラメータを保存するなどの制御を行う処理パラメータ制御部１１４、ＭＦＰ内部ストレージ１０７に対して、サムネイル画像（縮小画像）を保存するなどの制御を行うサムネイルデータ制御部１１５、端末装置２やメールサーバーとの通信を行うネットワーク通信部１１６（たとえばＮＩＣカード）、入力ジョブの画像データとページの属性情報を保存する入力ジョブ用一時内部ストレージ１１７、ユーザーインターフェースを提供するＧＵＩ制御部１１８、ＭＦＰ内部ストレージ１０７に格納されたドキュメントデータを編集する機能を制御するドキュメント編集制御部１１９を備えている。
【００１８】
さらに、データ入出力装置１は、ＭＦＰ側画像変換処理モジュール１２０を備えている。ＭＦＰ側画像変換処理モジュール１２０は、ＭＦＰ内部ストレージ１０７に記憶されている画像データを、この画像データの入力元の処理パラメータに基づき、所定の画像フォーマットに変換する。
【００１９】
一方、端末装置２は、画像変換を行う画像変換処理モジュール２０１、ＭＦＰから画像取得のためのアプリケーションのＧＵＩを制御するＧＵＩ制御部２０２、アプリケーション制御を行うアプリケーション制御部２０３、ＭＦＰとの通信を行うネットワーク通信部２０４、ＭＦＰから取得した画像をフォーマット変換して格納する画像ストレージ２０５を備えている。
【００２０】
さらに、端末装置２は、ロードバランス算出部２０６、及び画像変換判断モジュール２０７を備えている。
【００２１】
図４に示すように、データ入出力装置（ＭＦＰ）１の内部に蓄積する画像フォーマットは、画像データ入力元によりそれぞれ異なる。画像データ入力元とは、コピー入力部１０２、プリンタ入力部１０３、スキャナ入力部１０４、ＦＡＸ受信部１０５、Ｅｍａｉｌ受信部１０６などである。各画像データ入力元の画像フォーマットは、例えば以下の通りである。
・コピー入力部１０２：独自フォーマット（固定長）
・プリンタ入力部１０３：独自フォーマット（可変長）、ＣＭＹＫ
・スキャナ入力部１０４：ＪＰＥＧ、ＭＭＲ
・ＦＡＸ受信部１０５／Ｅｍａｉｌ受信部１０６：ＪＰＥＧ、ＭＭＲ
また、端末装置２側から画像を取り出す場合には、図５に示すような汎用の出力画像フォーマットにする必要がある。このように端末装置２側で異なる画像の画像変換を行う際には、図６、図７、図８で示すような処理が必要となる。
【００２２】
図６は、データ入出力装置（ＭＦＰ）１と端末装置２の間のシーケンスを示す。まず、端末装置２側からドキュメントを格納している箱（Ｂｏｘ）のリストを取得する（Ｇｅｔ  Ｂｏｘ  Ｌｉｓｔ（））。その後、データ入出力装置（ＭＦＰ）１側は存在するＢｏｘのＬｉｓｔ情報をまとめ、端末装置２（クライアント）側に応答する（Ｂｏｘ  Ｌｉｓｔ（））。その後、箱にパスワードが付いていた場合には、パスワード付で開きたい箱番号を指定し、箱のＯｐｅｎ要求をデータ入出力装置（ＭＦＰ）１側に出す（Ｏｐｅｎ  Ｂｏｘ，  Ｂｏｘ  ＩＤ，  Ｐａｓｓｗｏｒｄ（））。データ入出力装置（ＭＦＰ）１は要求を受け取ると、箱の中に入っているドキュメントリスト情報をまとめ、端末装置２側に応答する（Ｄｏｃｕｍｅｎｔ  Ｌｉｓｔ，  Ｄｏｃｕｍｅｎｔｓ  Ｐｒｏｐｅｒｔｉｅｓ（））。ドキュメントリストは、サムネイル画像の情報を含む。端末装置２側では、ドキュメントリストを受け取ると画像を取得したいドキュメントを指定する要求を出す（Ｇｅｔ  Ｐａｇｅ  Ｐｒｏｐｅｒｔｉｅｓ  ｉｎ  ａ  Ｄｏｃｕｍｅｎｔ（））。データ入出力装置（ＭＦＰ）１側は、その要求を受け取ると、ページの属性（プロパティ）情報を端末装置２側に応答する（Ｐａｇｅ  Ｐｒｏｐｅｒｔｉｅｓ（））。その後、ページの画像データを端末装置２側に渡す（Ｐａｇｅ  Ｄａｔａ（））。これをドキュメントのページ数分繰り返す。全てのページの画像データ転送が終了したら、接続を終了する（Ｃｌｏｓｅ  ｃｏｎｎｅｃｔｉｏｎ（））。
【００２３】
図７は、端末装置２内部での処理（ＴＷＡＩＮの場合）を示すフローチャートである。まず、ＧＵＩ制御部２０２により、ユーザからの画像取得指示を受け付ける（ＳＴ１０１）。その後、図６に示すシーケンスに従って、ネットワーク通信部２０４を介して、データ入出力装置（ＭＦＰ）１と端末装置２間での画像データ、サムネイルデータ、処理パラメータの通信を行う（ＳＴ１０２）。つまり、ネットワークを経由して、端末装置２において、データ入出力装置（ＭＦＰ）１のＭＦＰ内部ストレージ１０７に蓄積されている画像データ、サムネイルデータ、処理パラメータを取得する。その後、データ入出力装置（ＭＦＰ）１側から取得した処理パラメータを使用して、画像変換処理モジュール２０１により画像データを所望の画像フォーマットに変換する（ＳＴ１０３）。変換された画像データは画像ストレージ２０５に格納される（ＳＴ１０４）。なお、データ入出力装置（ＭＦＰ）１のＭＦＰ内部ストレージ１０７に対する、画像データ、サムネイルデータ、処理パラメータの蓄積については、後に図１１に示すフローチャートを参照して説明する。
【００２４】
図８は、端末装置２内部での処理（Ｆｉｌｅ  Ｄｏｗｎｌｏａｄｅｒの場合）を示すフローチャートである。まず、ＧＵＩ制御部２０２により、ユーザーからの画像取得指示を受け付ける（ＳＴ２０１）。その後、図６に示すシーケンスに従って、ネットワーク通信部２０４を介して、データ入出力装置（ＭＦＰ）１と端末装置２間での画像データ、サムネイルデータ、処理パラメータの通信を行う（ＳＴ１０２）。つまり、ネットワークを経由して、端末装置２において、データ入出力装置（ＭＦＰ）１のＭＦＰ内部ストレージ１０７に蓄積されている画像データ、サムネイルデータ、処理パラメータを取得する。その後、データ入出力装置（ＭＦＰ）１側から取得した処理パラメータを使用して、画像変換処理モジュール２０１により画像データを所望の画像フォーマットに変換する（ＳＴ２０３）。その後、ページ同士が１つのファイルとして生成可能かどうか判断し（ＳＴ２０４）、生成可能な場合には（ＳＴ２０４、ＹＥＳ）、全ページを１ファイル（マルチページ）としてまとめる（ＳＴ２０５）。全ぺージを１ファイルとしてまとめられない場合には（ＳＴ２０４、ＮＯ）、シングルページファイルのままとする（ＳＴ２０６）。その後、変換された画像データは画像ストレージ２０５に格納される（ＳＴ２０７）。
【００２５】
図９は、ＭＦＰ内部ストレージ１０７により蓄積されるデータについて説明するための図である。ＭＦＰ内部ストレージ１０７は、実画像データ１０７ａ、処理パラメータ１０７ｂ、サムネイルデータ１０７ｃを含む。実画像データ１０７ａは、実画像データ制御部１１３によって生成されるデータであって、入力元により画像フォーマットが異なるデータである。処理パラメータ１０７ｂは、処理パラメータ制御部１１４によって生成されるパラメータであって、各入力部に共通なパラメータと各入力部で異なるパラ−メタとで構成される。サムネイルデータ１０７ｃは、実画像データ１０７ａに基づくデータであって、サムネイルデータ制御部１１５によって画像処理を行って生成されるデータである。
【００２６】
図１０は、処理パラメータ１０７ｂの詳細なデータ構成の一例を示す図である。処理パラメータ１０７ｂは、各入力部で共通なパラメータと、各入力部により異なるパラメータとから構成される。処理パラメータ１０７ｂは、以下のパラメータを含む。
・画像ファイルフォーマット（ＪＰＥＧ、ＭＭＲなど）
・実画像ファイルサイズ（Ａ４など）
・実画像ファイル向き（９０°など）
・実画像印刷用紙サイズ（Ａ４−Ｒなど）
・実画像印刷用紙サイズ向き
・実画像印刷向き（Ｐｏｒｔｒａｉｔ／Ｌａｎｄｓｃａｐｅなど）
・画像デコード・パラメータ
・サムネイル画像向き
・印刷処理に必要な属性
ステープル有無、位置（ステープルあり、上中央２箇所など）
ホールパンチ有無、位置（ホールパンチあり、左中央２箇所など）
・送信処理に必要な属性
宛先（ｔｅｓｔ＠ｔｅｓｔ．ｃｏｍなど）
Ｓｕｂｊｅｃｔ（Ｔｈｉｓ  ｉｓ  ｔｅｓｔなど）
Ｂｏｄｙ（Ｈｅｌｌｏ  ｗｏｒｌｄなど）
なお、実画像ファイル向き、実画像印刷用紙サイズ向き、サムネイル画像向きは、各入力部で共通なパラメータである。画像ファイルフォーマット、画像デコード・パラメータ、印刷処理に必要な属性、送信処理に必要な属性は、入力部毎に異なるパラメータである。
【００２７】
図１１は、画像データ入出力装置１における画像データの取得及び記憶の流れを説明するフローチャートである。各入力部、即ちコピー入力部１０２、プリンタ入力部１０３、スキャナ入力部１０４、ＦＡＸ受信部１０５、Ｅｍａｉｌ受信部１０６により一時画像ファイルが取得され、取得された一時画像ファイルが入力ジョブ用一時内部ストレージ１１７内に生成される（ＳＴ３０１）。次に、各入力部の処理パラメータ（画像ファイル属性ファイル）が入力ジョブ用一時内部ストレージ１１７内に生成される（ＳＴ３０２）。
【００２８】
コピー入力部１０２により所定の画像フォーマットの画像データが取得された場合には、コピー入力制御部１０２ａが画像ファイル及び処理パラメータを生成する。プリンタ入力部１０３により所定の画像フォーマットの画像データが取得された場合には、プリンタ入力制御部１０３ａが画像ファイル及び処理パラメータを生成する。スキャナ入力部１０４により所定の画像フォーマットの画像データが取得された場合には、スキャナ入力制御部１０４ａが画像ファイル及び処理パラメータを生成する。ＦＡＸ受信部１０５により所定の画像フォーマットの画像データが取得された場合には、ＦＡＸ受信制御部１０５ａが画像ファイル及び処理パラメータを生成する。Ｅｍａｉｌ受信部１０６により所定の画像フォーマットの画像データが取得された場合には、Ｅｍａｉｌ受信制御部１０６ａが画像ファイル及び処理パラメータを生成する。
【００２９】
サムネイルデータ制御部１１５は、コピー入力部１０２により取得された画像データに基づきサムネイルファイルを生成したり（ＳＴ３０３、ＹＥＳ）（ＳＴ３０４）、プリンタ入力部１０３により取得された画像データに基づきサムネイルファイルを生成したり（ＳＴ３０５、ＹＥＳ）（ＳＴ３０６）、スキャナ入力部１０４により取得された画像データに基づきサムネイルファイルを生成したり（ＳＴ３０７、ＹＥＳ）（ＳＴ３０８）、ＦＡＸ受信部１０５により取得された画像データに基づきサムネイルファイルを生成したり（ＳＴ３０９、ＹＥＳ）（ＳＴ３１０）、Ｅｍａｉｌ受信部１０６により取得された画像データに基づきサムネイルファイルを生成したりする（ＳＴ３０９、ＹＥＳ）（ＳＴ３１０）。
【００３０】
その後、ＭＦＰ内部ストレージ１０７に、実画像ファイル、処理パラメータ、サムネイルファイルが保存される（ＳＴ３１１）。このとき、実画像ファイルに含まれる画像データには、処理パラメータは反映されていないものとする。サムネイルファイルに含まれるサムネイル（縮小画像）には、処理パラメータが反映されているものとする。
【００３１】
図１２は、ＭＦＰ内部ストレージ１０７に蓄積されたドキュメントに対する編集操作ＵＩ（ユーザーインターフェース）の一例を示す図である。操作ＵＩは、例えばＷｅｂブラウザなどのＵＩである。編集操作ＵＩはＧＵＩ制御部１１８により制御され、編集操作ＵＩを介して入力される編集操作はドキュメント編集部１１９により反映される。操作ＵＩ中には、図１２に示すように、左側にディレクトリの階層表示を行うフレームが存在し、また右側には各ドキュメントのサムネイルを表示するフレームが存在する。また、各サムネイルに対応して、入力部に関する情報が表示される。つまり、サムネイルに対応する画像データを取得した入力部に関する情報が表示される。
【００３２】
また、上部にはメニューバーが存在し、「Ｆｉｌｅ」「Ｅｄｉｔ」メニューが存在する。「Ｅｄｉｔ」メニューでは、「Ｃｏｐｙ」「Ｃｕｔ」「Ｐａｓｔｅ」のサブメニューが存在する。これらの操作は、クリップボードを介する操作となる。
【００３３】
「Ｃｏｐｙ」操作では、指定のあったページ単位で、実画像データ１０７ａ、処理パラメータ１０７ｂ、サムネイルデータ１０７ｃをクリップボードへコピーする処理を行う。
【００３４】
また、「Ｃｕｔ」操作では、指定のあったページ単位で、実画像データ１０７ａ、処理パラメータ１０７ｂ、サムネイルデータ１０７ｃをクリップボードへカットする処理を行う。
【００３５】
また、「Ｐａｓｔｅ」操作では、クリップボードにページ単位で入っている実画像データ１０７ａ、処理パラメータ１０７ｂ、サムネイルデータ１０７ｃをペースト先ヘコピーする処理を行う。この際、ページ単位で異なっている入力元（画像フォーマット）には依存せず、どの入力元のドキュメントに対してもペースト処理が可能となる。
【００３６】
このような、編集操作ＵＩにより、異なる入力部により取得された異なる画像フォーマットの画像データを同一画面上で編集することができる。
【００３７】
図１４は、負荷分散処理の一例を示すフローチャートである。端末装置（クライアント）２は、ユーザーインターフェースを介してユーザから画像取得指示を受け付けると（ＳＴ４０１）、ロードバランス算出部２０６による算出処理を実行させる。ロードバランス算出部２０６は、データ入出力装置（ＭＦＰ）１側で画像処理を行ったほうがよいか、端末装置２側で画像処理を行ったほうが良いかの判断基準元となる数値を算出する（ＳＴ４０２）。例えば、図１３に示すパラメータを用いて、以下のように算出する。
【００３８】
Ｙ１＝（元画像ファイルサイズ）÷（データ入出力装置（ＭＦＰ）１側のＣＰＵ処理性能）＋（変換後の画像ファイルサイズ）÷（ＮＩＣの転送性能）
Ｙ２＝（（元画像ファイルサイズ）＋（処理パラメータのファイルサイズ））÷（ＮＩＣの転送性能）＋（（（元画像ファイルサイズ）＋（処理パラメータのファイルサイズ））÷（端末装置２側のＣＰＵ処理性能）
画像変換判断モジュール２０７は、Ｙ１とＹ２でどちらか値が少ないほうが早く処理が終了するものと判断する。判断の結果、端末装置２側で処理を行うほうが早いと判断された場合には（ＳＴ４０３、ＹＥＳ）、端末装置２側の画像変換処理モジュール２０１により画像変換処理が行なわれる（ＳＴ４０４）。データ入出力装置（ＭＦＰ）１側で処理を行うほうが早いと判断された場合には（ＳＴ４０３、ＮＯ）、ＭＦＰ側画像変換処理モジュール１２０により画像変換処理が行なわれる（ＳＴ４０５）。
【００３９】
以上説明したように、この発明によれば、下記の作用効果が得られる。
（１）端末装置２側で画像変換処理を行うことで、画像データ入出力装置１での画像処理の負荷を軽減することができる。
（２）画像入力時に、画像データとは別に処理パラメータを独立して保持することで、実際に画像処理が必要になったときまで元画像の画質を保持できる。
（３）実際に画像処理が必要になるときまで画像データに対して処理パラメータを反映させず、サムネイルのみに処理パラメータを反映させることで、画像データ入出力装置１側での入力時・編集時の画像処理負荷を軽減できる。
（４）各入力部により異なるパラメータと各入力部で共通なパラメータを分離したデータ構造の処理パラメータを採用することにより、ある段階までは画像処理を共通化することができる。
【００４０】
本実施形態では装置内部に発明を実施する機能が予め記録されている場合で説明をしたが、これに限らず同様の機能をネットワークから装置にダウンロードしても良いし、同様の機能を記録媒体に記憶させたものを装置にインストールしてもよい。記録媒体としては、ＣＤ−ＲＯＭ等プログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と共働してその機能を実現させるものであってもよい。
【００４１】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【００４２】
【発明の効果】
この発明によれば、画像処理効率に優れた画像処理方法及び画像データ入出力装置を提供できる。
【図面の簡単な説明】
【図１】この発明の画像処理方法を適用可能なデータストレージシステムの概略構成の一例を示す図である。
【図２】データ入出力装置及び端末装置の制御系の一例を示すブロック図である。
【図３】データ入出力装置の機能の一例を示すブロック図である。
【図４】データ入出力装置における各入力部の入力画像フォーマットの一例を示す図である。
【図５】端末装置における汎用の出力画像フォーマットの一例を示す図である。
【図６】データ入出力装置と端末装置の間の一連の処理を示す図である。
【図７】端末装置内部での処理（ＴＷＡＩＮの場合）を示すフローチャートである。
【図８】端末装置内部での処理（Ｆｉｌｅ  Ｄｏｗｎｌｏａｄｅｒの場合）を示すフローチャートである。
【図９】ＭＦＰ内部ストレージにより蓄積されるデータの一例を示す図である。
【図１０】処理パラメータの詳細なデータ構成の一例を示す図である。
【図１１】における画像データの取得及び記憶の流れを説明するフローチャートである。
【図１２】ＭＦＰ内部ストレージに蓄積されたドキュメントに対する編集操作ＵＩの一例を示す図である。
【図１３】画像データ入出力装置側の処理時間と端末装置側の処理時間とを比較するためのパラメータの一例を示す図である。
【図１４】負荷分散処理の一例を示すフローチャートである。
【符号の説明】
１…データ入出力装置（ＭＦＰ）、２…端末装置（クライアント）、１０１…入力部、１０１ａ…入力制御部、１０２…コピー入力部、１０２ａ…コピー入力制御部、１０３…プリンタ入力部、１０３ａ…プリンタ入力制御部、１０４…スキャナ入力部、１０４ａ…スキャナ入力制御部、１０５…ＦＡＸ受信部、１０５ａ…ＦＡＸ受信制御部、１０６…Ｅｍａｉｌ受信部、１０６ａ…Ｅｍａｉｌ受信制御部、１０７…ＭＦＰ内部ストレージ、１０８…出力部、１０８ａ…出力制御部、１０９…プリンタ出力部、１０９ａ…プリンタ出力制御部、１１０…ネットワーククライアント出力部、１１０ａ…ネットワーククライアント出力制御部、１１１…ＦＡＸ送信部、１１１ａ…ＦＡＸ出力制御部、１１２…Ｅｍａｉｌ送信部、１１２ａ…Ｅｍａｉｌ送信制御部
【図１】
2005025615.tif 000003
【図２】
2005025615.tif 000004
【図３】
2005025615.tif 000005
【図４】
2005025615.tif 000006
【図５】
2005025615.tif 000007
【図６】
2005025615.tif 000008
【図７】
2005025615.tif 000009
【図８】
2005025615.tif 000010
【図９】
2005025615.tif 000011
【図１０】
2005025615.tif 000012
【図１１】
2005025615.tif 000013
【図１２】
2005025615.tif 000014
【図１３】
2005025615.tif 000015
【図１４】
2005025615.tif 000016